(57)【要約】【課題】門扉を施錠する際に、固定側の門柱や門扉の前後幅に合わせて、回動側の門扉に取付けられる二個一対の施錠片の間隔を容易に拡縮することができる門扉を提供する。【解決手段】門扉１の枠部材１３に支軸７１を介して施錠片４が回動可能に取付けられ、施錠片４は二個一対として基端に設けられた取付孔４１に支軸７１の端部がそれぞれ貫通されると共に、支軸の端部より締着された締着具７２により支軸７１に固定され、かつ、支軸７１には、締着具７２が締着された際、施錠片４の取付孔４１の縁部に当接し、前記二個の施錠片４を非平行に固定する二個の当たり面７４が相対して形成され、この二個の当たり面７４を左右反転させることにより、二個の施錠片４の間隔を先端に向かって拡縮できるようになされるように門扉を構成する。【選択図】        図６
2007308927.tif 000002
【特許請求の範囲】
【請求項１】
一方の側端部がヒンジ部を介して門柱に回動可能に取付けられると共に他方の側端部に支軸を介して施錠片が回動可能に取付けられ、前記施錠片は二個一対として基端に設けられた取付孔に支軸の端部がそれぞれ貫通されると共に、支軸の端部より締着された締着具により支軸に固定され、かつ、前記支軸には、締着具が締着された際、施錠片の取付孔の縁部に当接し、前記二個の施錠片を非平行に固定する二個の当たり面が相対して形成され、この二個の当たり面を左右反転させることにより、二個の施錠片の間隔を先端に向かって拡縮できるようになされたことを特徴とする門扉。
【請求項２】
前記ヒンジ部は、回動自在に接続された二個の取付片を備え、それぞれの取付片は、水平方向に延設された取付長孔に挿通された取付ボルトにより、門柱及び門扉のそれぞれに取付けられ、前記取付長孔は、取付ボルトが嵌合して水平方向に移動不能となる複数の広幅部からなることを特徴とする請求項１に記載の門扉。
【発明の詳細な説明】
【技術分野】
【０００１】
本発明は、門柱に取付けられた門扉に関するもので、更に詳しくは、片開き門扉及び両開き門扉のいずれにも対応できる施錠装置を有する門扉に関するものである。
【背景技術】
【０００２】
一般に、住宅や工場等の敷地境界部に設置されるフェンスや塀には出入りのために門扉が広く用いられている。この門扉には、これまでに様々な構造を有するものが知られており、例えば、一方の側端が門柱に回動可能に取付けられた門扉において、他方の側端に施錠杆を設け、固定側の門柱や門扉等に施錠杆用の受け金具を取付け、施錠杆を受け金具に係合させて可動側の門扉を固定するものが提案されている。
【０００３】
この門扉では、固定側の門柱や門扉等に施錠杆用の受け金具を取付ける必要があるため、利用者が受け金具の突起等に衣服等を引っ掛ける恐れがある点、特に、両開きの門扉の場合は、施錠杆がどちら方向に回動するのかが分かりにくい場合があり、この点が問題であった。
【０００４】
そこで、この問題を解決するために、固定側の門柱や門扉等に施錠杆用の受け金具が不要の門扉が提案されている（例えば、特許文献１参照。）。
【０００５】
この門扉は、一端が門柱に回動可能に軸支され、該門扉の開放端側には、前後に一体的に回動するハンドル兼用の施錠杆が設けられ、施錠時に該施錠杆が固定側の門柱や門扉等を挟持して、該門扉の回動を阻止するようになされたものであり、これにより、固定側の門柱や門扉等に施錠杆用の受け金具がなくても施錠できるため、上記の問題を解決できると共に、部品点数を抑えることができるものである。
【特許文献１】実開平６−６６５８号公報
【発明の開示】
【発明が解決しようとする課題】
【０００６】
しかしながら、前記の門扉には次のような問題点があった。すなわち、施錠杆同士の先端の間隔は調整できないため、この門扉と同幅の門扉に対して施錠する場合には問題ないが、この先端の間隔に収まらない門柱等に対しては、例えば、施錠杆が挟持されるための挟持部や、施錠杆が挿入される挿入溝を新たに設ける必要があり、その点が問題であった。
【０００７】
本発明は、前記の如き問題点を解消し、門扉を施錠する際に、固定側の門扉や門柱の前後幅に合わせて、回動側の門扉に取付けられる二個一対の施錠片の間隔を容易に拡縮することができる門扉を提供せんとするものである。
【課題を解決するための手段】
【０００８】
上記目的を達成するために、本発明は次のような構成としている。すなわちこの発明に係る門扉は、一方の側端部がヒンジ部を介して門柱に回動可能に取付けられると共に他方の側端部に支軸を介して施錠片が回動可能に取付けられ、前記施錠片は二個一対として基端に設けられた取付孔に支軸の端部がそれぞれ貫通されると共に、支軸の端部より締着された締着具により支軸に固定され、かつ、前記支軸には、締着具が締着された際、施錠片の取付孔の縁部に当接し、前記二個の施錠片を非平行に固定する二個の当たり面が相対して形成され、この二個の当たり面を左右反転させることにより、二個の施錠片の間隔を先端に向かって拡縮できるようになされたことを特徴とするものである。
【発明の効果】
【０００９】
本発明によれば、回動側の門扉に取付けられた二個一対の施錠片は、それぞれの施錠片が固定される支軸を左右反転させることによって、二個の施錠片の先端の間隔を調整することができるため、固定側の門柱や門扉の前後幅に対応した施錠片をそれぞれ作成する必要がなくなり、又、部品点数を抑えることができる。
【００１０】
本発明に係る門扉において、ヒンジ部は、回動自在に接続された二個の取付片を備え、それぞれの取付片は、水平方向に延設された取付長孔に挿通された取付ボルトにより、門柱及び門扉のそれぞれに取付けられ、前記取付長孔は、取付ボルトが挿通可能且つ回動不能な複数の広幅部からなるようになされれば、取付ボルト門扉と門柱との間隔に合わせてヒンジ部を取付けることができると共に、門扉に対して前後方向、あるいは上下方向に力が加わってもヒンジ部は取付ボルトに対して位置ずれしにくくなり、門扉の取付状態をより安定的に維持できる。
【発明を実施するための最良の形態】
【００１１】
次に、本発明を実施するための最良の形態について図面を参照し、具体的に説明する。
【００１２】
図１は、本発明に係る門扉の実施の一形態を示す正面図である。すなわち、門扉１は、地表に連続して立設されるフェンスの一部を開閉可能にしたものであり、フェンスの途中に設けられた一対の門柱２に対して、その一方にヒンジ部３を介して回動可能に取付けられ、かつ回動先端側に施錠片４が取付けられたものである。
【００１３】
先ず、フェンスは、主に住宅や工場等の敷地境界部に設置され、外部からの侵入を防止するためのものであり、本形態では、多数本の鉄製の線材を格子状に組合せ、その格子の各交点を溶接により接合し、更に表面全体を樹脂で被覆されたフェンス体Ｆを連続して立設させたものである。フェンスは、この形態に限定されるものではなく、例えば、主として縦格子のみ、あるいは、横格子のみから形成されるものでもよく、前記線材がパイプ状に形成され、これを組合せて形成された柵状の形態でもよく、板材や面材から形成される塀状の形態でもよい。
【００１４】
続いて、門柱２は、フェンスの途中に、地表から二個一対に立設されると共に、左右同型の円柱状に形成され、その一側面にフェンス体Ｆが接続されたものである。
【００１５】
次に、門扉１は、矩形に形成された門扉本体１１と、門扉本体１１の両側部に設けられたパイプ状の枠部材１２、１３とを備えている。門扉本体１１は、フェンス体Ａと同様に格子状に形成されると共に、この上下端部には、それぞれ円筒状の胴縁部１４が形成されている。
【００１６】
門扉本体１１と枠部材１２、１３とは、連結金具５１によって連結されている。連結金具５１は、図２に示すように、胴縁部１４に内挿される内挿部５２と、枠部材１２、１３の外側面に沿って半円筒状に形成された外嵌部５３とを備え、門扉本体１１に対して前後一対に設けられている。連結金具５１は、内挿部５２と、胴縁部１４の外側面側に配置される押さえ金具５４とにより胴縁部１４を挟着すると共に、相対する外嵌部５３により枠部材１２、１３をそれぞれ挟着し、門扉本体１１と枠部材１２、１３とを連結している。
【００１７】
又、門扉１の中央部には、図１に示すように、前後一対に横桟１５が設けられ、この横桟１５の回動基端側は接続金具１６により固定され、回動先端側は錠受金具６１により固定されている。固定金具１６、及び錠受金具６１は、門扉１に対して前後一対にそれぞれ設けられ、一端は横桟１５をそれぞれ挟着すると共に、他端は枠部材１２、１３にそれぞれ取付けられ、その先端部にはそれぞれ係合部が形成され、互いに係合して連結している。本形態では、接続金具１６、及び錠受金具６１は二個とも同型であり、一方を上下反転させることにより、一対の固定金具１６、及び錠受金具６１を形成している。
【００１８】
ヒンジ部３は、図３及び図４に示すように、回動自在に接続された二個の取付片３１、３２を備え、一方の取付片３１は門扉１の枠部材１２に取付けられると共に、他方の取付片３２は門柱２１に取付けられている。ヒンジ部３の数は、本形態では、門扉１の上下部にそれぞれ１個ずつ取付けられているが、必要に応じて三個以上でもよい。
【００１９】
取付片３１の基端には無底円筒状のひじつぼ３３が設けられ、取付片３２の基端には、ひじつぼ３３の上下端部から所定の隙間をあけて相対する支持片３４が設けられ、ひじつぼ３３及び支持片３４に挿通されたヒンジ芯棒３５より、取付片３１、３２とがヒンジ芯棒３５を軸として、互いに回動するようになされている。尚、前記の所定の隙間とは、取付片３１、３２とが、ヒンジ芯棒３５を軸として支障なく回動しうる程度の隙間のことである。
【００２０】
取付片３１の先端側は、門柱２１の外側面に沿って半円筒状に形成されると共に、取付片３２の先端側は、枠部材１２の外側面に沿って半円筒状に形成されている。又、取付片３１、３２には、水平方向に取付長孔３６が延設されている。この取付片３１、３２は、取付長孔３６を挿通し枠部材１２及び門柱２１を貫通して締結される取付ボルト３７により、枠部材１２及び門柱２１のそれぞれに取付けられる。
【００２１】
この構造により、取付片３１、３２は、門柱２１及び枠部材１２に対して、取付長孔３６の長さの範囲内で適宜取付けることができるので、門扉１と門柱２１との間隔を拡縮させることができる。
【００２２】
取付長孔３６には、図３に示すように、水平方向に広幅部３８が複数個形成されると共に、取付ボルト３７のねじ基端部には、図３及び図５に示すように、広幅部３８に嵌合される嵌合部３９が設けられている。これにより、取付ボルト３７のねじ部は、取付長孔３６の任意の位置に挿通可能であるが、取付ボルト３７の嵌合部３９が取付長孔３６の広幅部３８に嵌合されると、取付ボルト３７は水平方向には移動不能となる。
【００２３】
すなわち、取付ボルト３７は、門柱２１及び枠部材１２をそれぞれ貫通しているが、締結されていない状態において、取付ボルト３７の嵌合部３９が取付長孔３６の広幅部３８に嵌合されていれば、門扉１はヒンジ部３を介して門柱２１に対して不用意に水平方向に移動しない状態となる。又、この状態で、取付ボルト３７を引き出して、前記の嵌合状態を解消させれば、取付片３１、３２は、取付ボルト３７に対して取付長孔３６の長さの範囲で移動可能となるので、門扉１と門柱２１との間隔を調整する作業も容易となる。
【００２４】
前記の嵌合状態で、取付ボルト３７が締結されて、ヒンジ部３が取付けられれば、門扉１に対して前後方向、あるいは上下方向に力が加わってもヒンジ部３は取付ボルト３７に対して位置ずれしにくくなり、門扉１の取付状態をより安定的に維持できる。
【００２５】
尚、取付長孔３６は、図３に示すように、その上下端縁が相対向する山型状に形成されて、相対向する山型によって広幅部３８が形成されたものであり、取付ボルト３７の嵌合部３９は、広幅部３８の上下の山型部に嵌合するように縦断面が矩形に形成されているが、取付ボルト３７が水平方向に移動不能とされればよいので、山型部が、鋸歯状、円弧状、波型状等に形成されていてもよく、嵌合部３９は、その形状に対応させて形成させてもよく、本形態の矩形のままでもよい。
【００２６】
門扉１の回動先端側の枠部材１３には、図６に示すように、前後に二個一対の施錠片４が取付けられている。二個の施錠片４は、その基端部に取付孔４１（図７参照）を備え、前記枠部材１３を貫通した支軸７１の端部がそれぞれ貫通されると共に、支軸７１の端部より螺合された締着具７２により、支軸７２に固定される。本形態では、門扉１の横桟１５と枠部材１３とが接続された一対の錠受金具６１の箇所に施錠片４が取付けられている。
【００２７】
二個一対の施錠片４の基端部には、錠前孔４２が形成されると共に、前記錠受金具６１には錠前孔部６２がそれぞれ設けられている。錠前孔部６２は、錠受金具６１から横断面Ｌ字状に形成され、錠受金具６１と錠前孔部６２との間に、施錠片４の錠前孔４２（図７参照）の箇所が通されると共に、施錠片４の錠前孔４２と錠前孔部６２の錠前孔６３とに錠前等が掛けられるようになされている。尚、本形態では、錠受金具６１は一個の鋼板を適宜加工して形成されたものであるが、複数の鋼材を組合せて形成されたものでもよく、他の金属、例えば、アルミニウム合金やステンテス鋼から形成されてもよい。
【００２８】
又、施錠片４の基端部において、図７に示すように、上部には垂直規制部４３が設けられると共に、その下部には、水平規制部４４が設けられている。これにより、施錠片４を回動させた際、図７の（ａ）のように、水平規制部４４が錠受金具６１の錠前孔部６２の基端下縁に当接すると、施錠片４が施錠状態の水平方向に支持され、その方向への回動不能となる。又、図７の（ｂ）のように、垂直規制部４３が錠受金具６１の施錠孔部６２の基端上縁に当接すると開錠状態の垂直方向に支持され、その方向への回動不能となる。つまり、施錠片４の回動範囲は、垂直規制部４３と水平規制部４４により９０度程度に規制される。
【００２９】
更に、施錠片４の垂直規制部４３には、鉤部４５が形成されている。これにより、作業者は鉤部４３に指をかけて、施錠片４を施錠状態及び開錠状態への操作が可能となる。
【００３０】
施錠片４、垂直規制部４３、水平規制部４４で、施錠片４を回動させた時に他の部材と接触する箇所には、傷付き等を防止するために、本形態では、軟質の合成樹脂やゴム弾性を有する合成樹脂による被覆部が設けられている。
【００３１】
尚、図１に示すように、ヒンジ部３は門扉１の右側に取付けられ、施錠片４は門扉１の左側に取付けられているが、本形態では、門柱２１、２２及び、枠部材１２、１３は同型であるため、ヒンジ部３や施錠片４等を左右逆に付け替えることも可能である。つまり、門扉１の開閉の向きを左右何れでも選択することができる。
【００３２】
次に、支軸７１に対する施錠片４の固定方法について説明する。
【００３３】
施錠片４の取付孔４１は、図７に示すように、略小判状に形成され、その左右の両側面は互いに平行に形成されている。又、支軸７１の両端部は、図８に示すように、それぞれに相対する切欠部７３が形成された断面略小判状に形成されている。そして、取付孔４１の左右の間隔は、支軸７１の相対する切欠部７３の間隔より広幅になされている。尚、図８において、（ａ）は支軸７１の平面図、（ｂ）は正面図、（ｃ）は側面図、（ｄ）は（ａ）の部分拡大図である。
【００３４】
この構造により、施錠片４の取付孔４１に支軸７１の端部を貫通させた際、施錠片４は支軸に対して回動不能となるが、支軸７１の切欠部７３と取付孔４１の平行面縁部との間に隙間が形成されるため、施錠片４は、この隙間によって、支軸７１の軸心Ａとなす角度を変えることが可能となり、つまり二個の施錠片４の間隔を先端に向かって拡縮することができる。
【００３５】
相対する切欠部７３には、支軸７１の軸心に対して垂直方向に当たり面７４がそれぞれ設けられ、当たり面７４の延長面は互いに同一面上にはない平行状態に形成されている。又、この当たり面７４は、支軸７１の両側に同様に形成されている。これにより、施錠片４の取付孔４１に支軸７１の端部を貫通させた際、取付孔４１の縁部が、支軸７１の切欠部７２の二個の当たり面７４にそれぞれ当接されると、二個の施錠片４は、支軸７１の軸心Ａに対して非垂直の所定の角度αでそれぞれ配置される。すなわち、二個の施錠片４は、相対して非平行に配置され、二個の施錠片４の間隔が先端に向かって拡縮される。
【００３６】
これにより、当たり面７４を左右反転するように、支軸７１を１８０度回転させ、施錠片４の取付孔４１に支軸７１の端部を貫通させると、支軸７１の軸心Ａに対して所定の角度αでそれぞれ非平行に固定されるが、二個の施錠片４の間隔は、前記の場合とは逆に先端に向かって縮拡する。尚、前記の角度αは必要に応じて、支軸７１の当たり面７４の形成位置を変えることにより、任意の角度に設定することができる。
【００３７】
すなわち、図６に示すように、枠部材１３の前後幅より大きい門柱２２に対して施錠する場合は、二個の施錠片４の間隔を先端に向かって拡がるように、支軸７１を配置して、施錠片４を取付ければよい。又、図９及び図１０に示すように、二個の門扉１、１ａからなる両開き門扉の場合は、二個の施錠片４の間隔を先端に向かって狭めるように、支軸７１を配置して、施錠片４を取付ければよい。そうすれば、施錠片４とその間に配置された固定側の門扉１ａの枠部材１３ａとの隙間は、施錠片４を平行に取付けた場合の隙間より狭くなるため、施錠時に回動側の門扉１が不用意に回動しにくくなる。
【００３８】
施錠片４を固定する締着具７２は、本形態では、ナット、平座金、ばね座金とを備え、施錠片４が支軸７１の軸心Ａに対して非垂直に配置されていても、その状態で固定されるようになされている。
【００３９】
支軸７１には、弾性のリング体７５が挿入され、施錠片４の側面と枠部材１３とにそれぞれ当接されるようになされている。尚、前記の当接とは、施錠片４が不用意に前後方向に移動せず、且つ施錠片４の回動を必要以上に阻害しない程度の状態を示すものであり、隙間が生じていてもよい。
【００４０】
支軸７１に対し、施錠片４を非垂直に固定する構成は、本形態に限られるものではない。例えば、図１１に示すように、支軸７１の当たり面７４を、支軸７１の軸心に対して所定の角度でそれぞれ傾斜させて同一平面上に形成させる形態でもよい。又、図１２に示すように、一端の当たり面７４を互いに同一平面上に設け、施錠片４と当たり面７４との間に両側面が非平行に形成された座金７６を挿入した形態でもよい。あるいは、図１３に示すように、相対する切欠部７３に貫通するように楔７７を挿入し、その楔７７の側面の斜面に施錠片４が当接されるようにした形態でもよい。このようにすれば、何れの形態においても、二個の施錠片４の間隔を先端に向かって拡縮することができる。
【００４１】
門扉１、門柱２、ヒンジ部３、施錠片４、及び支軸７１で用いられる部材は、材質を特に指定していないものは、一般には鋼材が用いられ、又、必要に応じて表面に塗装が施されたものであり、強度、耐久性、意匠性において優れているが、これに限られるものではなく、アルミニウム合金やステンレス鋼等の金属を用いてもよく、必要に応じて適宜選択することができる。
【図面の簡単な説明】
【００４２】
【図１】本発明に係る門扉の実施の一形態を示す正面図である。
【図２】図１における門扉の部分拡大図である。
【図３】図１におけるヒンジ部の拡大図である。
【図４】図３における主要部の取付状態を示す平面図である。
【図５】図３における取付ボルトの斜視図である。
【図６】図１における施錠状態を示す主要部の平面図である。
【図７】図１における施錠状態と開錠状態を示す主要部の正面図である。
【図８】図６における支軸の説明図である。
【図９】本発明に係る門扉の実施の他の形態を示す正面図である。
【図１０】図９における施錠状態を示す主要部の平面図である。
【図１１】図６における支軸の変形の一例を示す平面図である。
【図１２】図６における支軸の変形の一例を示す平面図である。
【図１３】図６における支軸の変形の一例を示す平面図である。
【符号の説明】
【００４３】
１、１ａ  門扉
２、２１、２２  門柱
３    ヒンジ部
４    施錠片
１１  門扉本体
１２、１３  枠部材
３１、３２  取付片
３６  取付長孔
３７  取付ボルト
３８  広幅部
３９  嵌合部
４１  取付孔
６１  錠受金具
７１  支軸
７２  締着具
７３  切欠部
７４  当たり面
Ａ    軸心
Ｆ    フェンス体
【図１】
2007308927.tif 000003
【図２】
2007308927.tif 000004
【図３】
2007308927.tif 000005
【図４】
2007308927.tif 000006
【図５】
2007308927.tif 000007
【図６】
2007308927.tif 000008
【図７】
2007308927.tif 000009
【図８】
2007308927.tif 000010
【図９】
2007308927.tif 000011
【図１０】
2007308927.tif 000012
【図１１】
2007308927.tif 000013
【図１２】
2007308927.tif 000014
【図１３】
2007308927.tif 000015